(57)【要約】【課題】多段に積み重ねたトレー本体を分離する際、下段側のトレー本体に収納した被収納部品が上段側のトレー本体の貼り付くことなく確実に分離できるようにする。【解決手段】レンズユニット５０を組み込んだトレー本体１を多段に積み重ねた際、下段側のレンズユニット５０の表面が上段側のトレー本体１に形成する収納凹部５と当接するが、レンズユニット５０と収納凹部５との間には収納凹部５の底部裏面に形成する凹状の段部７により空隙部８が形成され、この空隙部８を通ってレンズユニット５０のレンズ５０Ａと収納凹部５の空間部Ｓ１の空気が抜け、空間部Ｓ１内が負圧とならない。これにより、レンズユニット５０が上段側のトレー本体１の裏面側に貼り付くことはない。【選択図】  図６
2008001409.tif 000002
【特許請求の範囲】
【請求項１】
平板部の周縁部から立ち上がる鍔部と、この鍔部の周縁部から下方に向かって末広がり状に傾斜した傾斜面とを有して合成樹脂によって全体形状が略皿形に形成されたトレー本体を備え、前記平板部に複数の収納凹部を形成し、この収納凹部に電子部品等の被収納部品を位置決め保持した状態で順次、下段側のトレー本体の鍔部に上段のトレー本体を積み重ねる電子部品等の収納用トレーにおいて、前記トレー本体には、該トレー本体を多段に積み重ねた際、下段側のトレー本体の収納凹部内に収納した前記被収納部品が上段側に積み重ねたトレー本体の収納凹部裏面側に密着して貼り付くことを防止するための吸着防止手段を設けたことを特徴とする収納用トレー。
【請求項２】
前記吸着防止手段として、前記収納凹部の底部に一つ以上の凹状又は凸状の段部を形成し、前記被収納部品を収納したトレー本体を積み重ねた際、前記段部によって、少なくとも下段側の収納凹部内に収納した被収納部品と上段側の収納凹部の裏面側との間に空隙部を形成したことを特徴とする請求項１記載の収納用トレー。
【請求項３】
前記被収納部品を収納保持したトレー本体を多段に積み重ね、これを袋体に収納した後、袋体内の空気を脱気して密封した包装体とするとともに、前記袋体内の空気を脱気する際、前記空隙部と積み重ねた前記各トレー本体の間に形成される収納空間とが連通して空気の逃し路として機能することを特徴とする請求項２記載の収納用トレー。
【請求項４】
前記吸着防止手段が、前記収納凹部の裏面周縁から拡径状に広がるテーパ面で構成され、前記被収納部品を収納したトレー本体を積み重ねた際、下段側の収納凹部内に収納した被収納部品の前面周縁が前記テーパ面の内周面に線接触可能としたことを特徴とする請求項１記載の収納用トレー。
【請求項５】
前記被収納部品が携帯電話用カメラなどに組み込まれるレンズユニットであることを特徴とする請求項１〜４の何れか１項に記載の収納用トレー。
【発明の詳細な説明】
【技術分野】
【０００１】
本発明は、電子部品等の収納用トレー、例えば半導体集積回路、ＩＣカード、基盤、あるいは携帯機器用カメラなどに組み込まれるレンズユニットなどのような極めて小さな電子部品等の保管、運搬に用いる収納用トレーに関するものである。
【背景技術】
【０００２】
電子部品の保管、運搬に用いる収納用トレーとして従来からポリスチレン、ポリプロピレン、ポリ塩化ビニール、ＰＥＴ樹脂等の熱可塑性の合成樹脂シートを真空成形などで成形したトレーが知られている。このような収納用トレーとして特許文献１で示すように、全体として全体形状が略皿形に形成され、内部に電子部品を収納保持させた状態で積み重ねられるように、トレー本体が、電子部品を載置する平板部と、この平板部の周縁部から立ち上がる鍔部と、この鍔部の周縁部から下方に向かって末広がり状に傾斜した傾斜面とから成り、前記平板部に電子部品を収納保持するための複数の収納凹部を形成し、この収納凹部に電子部品等の被収納部品を位置決め保持した状態で順次、下段側のトレー本体の鍔部に上段のトレー本体を積み重ねるように構成している。
【０００３】
【特許文献１】特開２００３−２７６７９０号公報
【発明の開示】
【発明が解決しようとする課題】
【０００４】
前記収納用トレーは、収納凹部に電子部品等の被収納部品を位置決め保持した状態で下段側のトレー本体の鍔部に上段のトレー本体を順次、積み重ねて保管、運搬などに用いられるが、被収納部品として携帯機器用カメラなどに組み込まれるレンズユニットは、保管時あるいは運搬時において塵や埃などの付着を防止するために、複数の収納用トレーを積み重ねた状態でビニール袋など包装体に収容し、かつ、上下に重ねた収納用トレーが上下あるいは左右方向に変動しないように、包装体内の空気を抜く脱気を行い、所謂、真空包装することで積層した収納用トレーを相互に一体化した状態で保管、運搬を行う。このため、包装体内の脱気により、収納凹部内に収納した被収納部品と上段側に積み重ねたトレー本体の収納凹部裏面側との空間部が負圧状態となり、包装体から収納用トレーを取り出し、積み重ねた収納用トレーを分離する際、被収納部品が上段側に積み重ねたトレー本体の収納凹部裏面側に密着して貼り付いてしまうことがあった。すなわち、図１１に示すように、携帯機器用カメラのレンズユニットＡは、レンズ鏡筒Ａ１とレンズＡ２とからなり、レンズＡ２はレンズ鏡筒Ａ１から突出しないようにレンズ鏡筒Ａ１より低い。このため、上段側に積み重ねたトレー本体Ｂと下段側のトレー本体Ｂに収納されたレンズ鏡筒Ａ１とが密着した際、レンズＡ２と上段側のトレー本体Ｂとの間に密閉空間Ｃが形成され、その密閉空間Ｃ内の空気が抜かれることによって密閉空間Ｃが負圧となり、本来、下段側のトレー本体に収納されるべきレンズユニットＡのいくつかがトレー本体Ｂの裏面側に貼り付いてしまう。このため、包装体から収納用トレーを取り出して多段に積み重ねたトレー本体を分離する際、上段側のトレー本体に貼り付けたレンズユニットＡを剥がすといった煩わしい手間が係り、作業性の低下を招くという課題を有していた。
【０００５】
本発明は上述した問題点に鑑みてなされたものであり、多段に積み重ねたトレー本体を分離する際、下段側のトレー本体に収納した被収納部品が上段側のトレー本体の貼り付くことなく確実に分離することができる収納用トレーを提供することを目的とする。
【課題を解決するための手段】
【０００６】
請求項１の収納用トレーは、平板部の周縁部から立ち上がる鍔部と、この鍔部の周縁部から下方に向かって末広がり状に傾斜した傾斜面とを有して合成樹脂によって全体形状が略皿形に形成されたトレー本体を備え、前記平板部に複数の収納凹部を形成し、この収納凹部に電子部品等の被収納部品を位置決め保持した状態で順次、下段側のトレー本体の鍔部に上段のトレー本体を積み重ねる電子部品等の収納用トレーにおいて、前記トレー本体には、該トレー本体を多段に積み重ねた際、下段側のトレー本体の収納凹部内に収納した前記被収納部品が上段側に積み重ねたトレー本体の収納凹部裏面側に密着して貼り付くことを防止するための吸着防止手段を設けたことを特徴とする。
【０００７】
請求項１の構成により、トレー本体を多段に積み重ねた際、下段側のトレー本体に収納保持した被収納部品と上段側に位置するトレー本体の収納凹部とが接触した場合、特に被収納部品と収納凹部とが面接触状態で当接すると、被収納部品が収納凹部の裏面側に密着して貼り付きやすくなるが、吸着防止手段により上段側に位置する収納凹部への被収納部品の貼り付きが防止される。
【０００８】
請求項２の収納用トレーは、請求項１記載の収納用トレーにおいて、前記吸着防止手段として、前記収納凹部の底部に一つ以上の凹状又は凸状の段部を形成し、前記被収納部品を収納したトレー本体を積み重ねた際、前記段部によって、少なくとも下段側の収納凹部内に収納した被収納部品と上段側の収納凹部の裏面側との間に空隙部を形成したことを特徴とする。
【０００９】
請求項２の構成により、トレー本体を多段に積み重ねた際、下段側のトレー本体に収納保持した被収納部品と上段側に位置するトレー本体の収納凹部の裏面側との間には段部による空隙部が形成され、被収納部品と上段側に位置するトレー本体の収納凹部との間に密閉空間が形成されにくいとともに、段部と被収納部品との載置面積が小さいから、被収納部品とトレー本体の収納凹部とが密着しにくくなる。
【００１０】
請求項３の収納用トレーは、請求項２記載の収納用トレーにおいて、被収納部品を収納保持したトレー本体を多段に積み重ね、これを袋体に収納した後、袋体内の空気を脱気して密封した包装体とするとともに、前記袋体内の空気を脱気する際、前記空隙部と積み重ねた前記各トレー本体の間に形成される収納空間とが連通して空気の逃し路として機能することを特徴とする。
【００１１】
請求項３の構成により、袋体内の空気を脱気して包装体を密封する際、トレー本体の収納凹部との間に形成される空隙部から空気が逃げて被収納部品とトレー本体の収納凹部とが密着しにくくなる。
【００１２】
請求項４の収納用トレーは、請求項１記載の収納用トレーにおいて、前記吸着防止手段が、前記収納凹部の裏面周縁から拡径状に広がるテーパ面で構成され、前記被収納部品を収納したトレー本体を積み重ねた際、下段側の収納凹部内に収納した被収納部品の前面周縁が前記テーパ面の内周面に線接触可能としたことを特徴とする。
【００１３】
請求項４の構成により、トレー本体を多段に積み重ねた際、下段側のトレー本体に収納保持した被収納部品が上段側に位置するトレー本体に当接したとしても被収納部品は、テーパ面に線接触状態で当接するから、被収納部品とトレー本体との接触面積が極めて少ないとともに、被収納部品がテーパ面に突き当たるので、被収納部品とテーパ面との間に形成される空間部の容積が可及的に狭くなる。したがって、被収納部品とテーパ面との間から空気が洩れやすく、被収納部品が上段側のトレー本体に密着しにくくなる。
【００１４】
請求項５の収納用トレーは、請求項１〜４の何れか１項に記載の収納用トレーにおいて、前記被収納部品が携帯電話用カメラなどに組み込まれるレンズユニットであることを特徴とする。
【００１５】
請求項５の構成により、光学部品であるレンズユニットを保管、輸送する際、レンズユニットをトレー本体に収納保持し、このトレー本体を多段に積み重ねる。そして、トレー本体からレンズユニットを取り出す際などにおいて多段に積み重ねたトレー本体を分離する際、レンズユニットが上段側のトレー本体に密着して貼り付きにくくなる。
【発明の効果】
【００１６】
本発明の収納用トレーは、レンズユニットなどの小型の被収納部品をトレー本体に収納保持し、このトレー本体を多段に積み重ねることで保管、輸送する際、取り扱いに便利であるとともに、トレー本体から被収納部品を取り出す際、下段側の収納凹部内に収納した被収納部品が上段側のトレー本体の裏面側に貼り付くことなく、確実に収納凹部内に収納保持されるから、上段側のトレー本体の裏面側に貼り付いたレンズユニットを剥がすといった煩わしい作業も不要であり、作業性を高めることができる。
【００１７】
また、被収納部品を収納保持したトレー本体を多段に積み重ねて袋体内に収納して密封することにより、保管時、輸送時などにおいて取り扱いにも便利であるとともに、被収納部品の損傷を防止することができる。また、塵、埃などの付着を確実に防止して防塵性を高めることができる。さらに、トレー本体を真空包装することで、多段に積み重ねたトレー本体が一体化され、内部に収納保持した被収納部品のずれや変動が抑えられるとともに、仮に包装体の天地を逆にしても被収納部品が外れてトレー本体から落下することなく、確実にトレー本体に収納保持できる。
【発明を実施するための最良の形態】
【００１８】
以下、本発明の収納用トレーの具体的実施例として携帯機器用カメラなどに組み込まれるレンズユニットを収納する収納用トレーについて、添付図面を参照しながら説明する。図１は本発明の収納用トレーを示す一部を拡大した平面図、図２は図１におけるＡ−Ａ線断面図に沿った拡大断面図、図３は収納凹部の拡大平面図、図４は収納トレーを包装体に収納した状態を示す一部を切り欠いた包装体の正面図、図５はトレー本体の重なり部を示す拡大断面図、図６は図５におけるＢ部分の拡大断面図である。なお、以下の実施態様は、本発明を具体化する際の一形態であって、本発明をその範囲内に限定するためのものではない。
【実施例１】
【００１９】
図において１は、例えばポリスチレン、ポリプロピレン、ポリ塩化ビニール、ＰＥＴ樹脂等の熱可塑性の合成樹脂シートを真空成形等で成形したトレー本体であり、全体として略皿形に形成されている。このトレー本体１は、平坦な平板部２と、この平板部２の周縁から立ち上がる鍔部３及び該鍔部３の周縁からから下方に向かって末広がり状に傾斜した傾斜面４を備え、図１などに示すように、前記平板部２に形成する複数の収納凹部５に被収納部品として携帯機器用カメラなどに組み込まれるレンズユニット５０を位置決め保持した状態で順次、下段側のトレー本体１の鍔部３に上段のトレー本体１を積み重ねることによって保管あるいは輸送するものである。
【００２０】
前記収納凹部５は、レンズユニット５０の外周が嵌合するように平板部２から円形状に陥没している。また、本実施例において、収納凹部５は、平板部２を横長として見た場合、縦方向に１０列、横方向に１６列の収納凹部５が等間隔に並列され、計１６０個のレンズユニット５０が収納可能である。また、平板部２には並設された複数の収納凹部５の中心を相互に結ぶように十字状の溝部５Ａが形成されるとともに、収納凹部５の底部には、収納凹部５の表面から突出して前記レンズユニット５０の底面と当接する左右一対の載置用凸部６，６を形成している。この載置用凸部６，６は、図１（拡大部分）に示すように、それぞれ前記収納凹部５の内周面から収納凹部５の中心に向かって円弧状に突出し、収納凹部５内におけるレンズユニット５０の高さ方向に位置決めを成す。また、収納凹部５の表面に載置用凸部６，６を形成することによって、収納凹部５の裏面側に載置用凸部６，６と対応した位置、すなわち、収納凹部５の外周縁を円弧状に切り欠いた凹状の段部７が形成され、この段部７が吸着防止手段となる。この吸着防止手段である段部７によって、前記トレー本体１を多段に積み重ねた際、下段側の収納凹部５内に収納したレンズユニット５０と上段側のトレー本体１に形成する収納凹部５の裏面とが接触した際、収納凹部５の裏面に陥没した段部７によって収納凹部５の裏面とレンズユニット５０と間に空隙部８が形成される。この空隙部８は、トレー本体１を多段に積み重ねた際、上下各トレー本体１間に形成する収納空間Ｓと連通することになるから、後述するトレー本体１の真空詰めに際し、空隙部８が空気の逃し路として機能する。
【００２１】
本実施例は以上の構成からなり、トレー本体１に形成する複数の収納凹部５内にそれぞれレンズユニット５０を嵌め入れることにより、レンズユニット５０の周縁が収納凹部５の内周面に位置決めされるとともに、レンズユニット５０の底面が収納凹部５の底部の突出形成した２つの載置用凸部６に当接した状態で位置決めされる。これにより、収納凹部５内においてレンズユニット５０がガタ付くことなく、レンズユニット５０が収納保持される。このようにして、レンズユニット５０を組み込んだトレー本体１を上下多段に積み重ねるが、所定の枚数トレー本体１を積み重ねたら、最上部のトレー本体１にはレンズユニット５０を組み込まれていないトレー本体１を載置する。すなわち、トレー本体１を上下多段に積み重ねることで、上下各トレー本体１の間には各トレー本体１で囲まれたレンズユニット５０の収納空間Ｓが形成され、最上部のトレー本体１は収納空間Ｓの蓋体として機能する。こうにして、レンズユニット５０を収納保持したトレー本体１を多段に積み重ねた後、図４に示すように、ビニール袋Ｈなどに収納し、そのビニール袋Ｈ内の空気を抜いてビニール袋Ｈの開口部を熱溶着することによってトレー本体１を収納したビニール袋Ｈを密封して包装体１０を形成している。これにより、多段に積み重ねたトレー本体１の周囲がビニール袋Ｈで押されて一体化され、内部に収納したレンズユニット５０のずれや変動が抑えられ、例え、包装体１０の天地を逆にしてもレンズユニット５０が外れてトレー本体１から落下することもなく、また、レンズユニット５０への塵、埃などの付着を防止して防塵性を高めるとともに、レンズユニット５０の損傷も防止している。
【００２２】
このように、本実施例においては、防塵性を高めるために、レンズユニット５０が組み込まれたトレー本体１をビニール袋Ｈで密封する。この時、ビニール袋Ｈ内の空気を抜くことから、多段に積み重ねたトレー本体１は、相互に密着し、下段側のトレー本体１に収納保持したレンズユニット５０の表面が上段側のトレー本体１に形成する収納凹部５の裏面が当接する。この時、レンズユニット５０に組み込んだレンズ５０Ａと収納凹部５の裏面との間に空間部Ｓ１が生じたとしても、下段側の収納凹部５内に収納したレンズユニット５０と上段側のトレー本体１に形成する収納凹部５の裏面との間に空隙部８が形成され、空隙部８によってレンズ５０Ａと収納凹部５との空間部Ｓ１が上下各トレー本体１間に形成される収納空間Ｓと連通し、図６に示すように、空間部Ｓ１内の空気は空隙部８を通って収納空間Ｓへと流れる。したがって、包装体１０からトレー本体１を取り出す際、下段側の収納凹部５内に収納したレンズユニット５０が上段側のトレー本体１の裏面側に貼り付くことなく、確実に収納凹部５内に収納保持される。
【００２３】
以上のように、本実施例においては、包装体１０からトレー本体１を取り出した後、上段側のトレー本体１の裏面側に貼り付いたレンズユニット５０を剥がすといった煩わしい作業が不要であり、作業性を高めることができるとともに、レンズユニット５０を収納保持したトレー本体１をビニール袋Ｈ内に収納して密封した包装体１０とすることにより、多段に積み重ねたトレー本体１が一体化され、内部に収納したレンズユニット５０のずれや変動が抑えられ、また、例え、包装体１０の天地を逆にしてもレンズユニット５０が外れてトレー本体１から落下することもないから、保管時、輸送時などにおいて取り扱いにも便利であるとともに、レンズユニット５０の損傷の防止並びにレンズユニット５０への塵、埃などの付着を確実に防止して防塵性を高めることができる。
【実施例２】
【００２４】
図７及び図８は本発明の実施例２を示し、図７は本発明の実施例２を示す収納用トレーを示す一部を拡大した平面図、図８は、トレー本体の重なり部を示す拡大断面図である。なお、実施例２において、前記実施例１と共通する機能を有する部分には同一符号を付し、異なる部分についてのみ説明する。
【００２５】
前記実施例１においては、収納凹部５の底部に、収納凹部５の表面から突出する載置用凸部６，６を形成することによって収納凹部５の裏面側に吸着防止手段となる凹状の段部７を形成した例を示したが、本実施例においては、収納凹部５の裏面側に下段側に収納保持したレンズユニット５０に前面周縁部分と当接可能な４つの突き当て凸部２０を形成することによって収納凹部５の裏面側に吸着防止手段となる凸状の段部２１を形成している。突き当て凸部２０は、図７に示すように、それぞれ前記収納凹部５の底部周縁部に位置してそれぞれ９０度毎に間隔毎に形成されており、また、形状は前記実施例１と同様、円弧状である。
【００２６】
以上のように構成される本実施例においては、トレー本体１を収納したビニール袋Ｈ内の空気を抜く際、下段側のトレー本体１に収納保持したレンズユニット５０の表面が上段側に位置するトレー本体１の収納凹部５に突設した突き当て凸部２０と当接し、この凸部２０によって構成される凸状の段部２１により、レンズユニット５０と上段側のトレー本体１に形成する収納凹部５の裏面との間に空隙部８が形成されるから、前記実施例１と同様、空隙部８を介してレンズ５０Ａと収納凹部５の裏面との間に形成される空間部Ｓ１と上下各トレー本体１間に形成する収納空間Ｓとが連通し、空隙部８がビニール袋Ｈ内の空気を抜く際の空気の逃し路として機能する。これにより、包装体１０からトレー本体１を取り出す際、下段側の収納凹部５内に収納したレンズユニット５０が上段側のトレー本体１の裏面側に貼り付くことなく、確実に収納凹部５内に収納保持される。
【実施例３】
【００２７】
図９及び図１０は本発明の実施例３を示し、図９は収納用トレーを示す一部を拡大した平面図、図１０はトレー本体の重なり部を示す拡大断面図である。なお、実施例３において、前記各実施例と共通する機能を有する部分には同一符号を付し、異なる部分についてのみ説明する。
【００２８】
前記実施例１、２においては、レンズユニット５０に組み込まれるレンズ５０Ａがレンズユニット５０の表面より下がった位置に組み込まれる場合を示したが、レンズユニット５０のタイプによってはレンズ５０Ａの表面側にレンズ５０の保護あるいは赤外線などを遮断するためにフィルタ５０Ｂを組み込んだものもある。このようなフィルタ５０Ｂはレンズユニット５０の表面とフラットに連続するように組み込まれるものが多く、実施例１あるいは実施例２のように、レンズユニット５０の表面にトレー本体１の収納凹部５又は突き当て凸部２０を直接的に接触すると、フィルタ５０Ｂが損傷する虞れがある。このため、本実施例においては、レンズユニット５０の表面と上段側に位置するトレー本体１の収納凹部５とが直接的に接触しないように構成している。すなわち、本実施例では、吸着防止手段として、収納凹部５の裏面周縁から拡径状に広がるテーパ面３０を形成し、レンズユニット５０を収納したトレー本体１を積み重ねた際、下段側の収納凹部５内に収納したレンズユニット５０の前面周縁を前記テーパ面３０の内周面に線接触させている。
【００２９】
以上のように構成される本実施例においては、トレー本体１を収納したビニール袋Ｈ内の空気を抜く際、下段側のトレー本体１に収納保持したレンズユニット５０の前面周縁を上段側に位置するトレー本体１の収納凹部５の裏面周縁から延設したテーパ面３０の内周面に当接したとしてもテーパ面３０とレンズユニット５０とは線接触するから、レンズユニット５０とテーパ面３０との接触面積が極めて少ないとともに、レンズユニット５０をテーパ面３０に突き当てることで、レンズユニット５０とテーパ面３０との間に形成される空間部Ｓ１内の容積が可及的に狭くなる。したがって、ビニール袋Ｈ内の空気を抜く際、レンズユニット５０とテーパ面３０との間から空気が洩れやすく、下段側の収納凹部５内に収納したレンズユニット５０が上段側のトレー本体１に密着しにくくなる。
【００３０】
以上のように、本実施例においては、レンズユニット５０の表面側に露出するフィルタ５０Ｂとトレー本体１とが非接触状態を保ち、フィルタ５０Ｂの損傷を防止することができるとともに、包装体１０からトレー本体１を取り出した後、上段側のトレー本体１の裏面側に貼り付いたレンズユニット５０を剥がすといった煩わしい作業も不要であり、作業性を高めることができる。
【００３１】
以上、本発明の実施例を詳述したが、本発明は、前記実施例に限定されるものではなく、本発明の要旨の範囲内で種々の変形実施が可能である。例えば、収納凹部５に形成する載置用凸部６や突き当て凸部２０の形状あるいは数などは前記実施例に限らず適宜選定すればよい。また、トレー本体１や収納凹部５の形状あるいはトレー本体１に組み込まれるレンズユニット５０の個数も適宜選定すればよい。さらに、前記各実施例においては、被収納部品として携帯電話などに組み込まれるレンズユニット５０を例として説明したが、他の電子部品の収納用トレーとして広く適用可能であることは勿論である。
【図面の簡単な説明】
【００３２】
【図１】本発明の実施例１における収納用トレーを示す一部を拡大した平面図である。
【図２】同上、図１におけるＡ−Ａ線断面図に沿った拡大断面図である。
【図３】同上、収納凹部の拡大平面図である。
【図４】同上、収納トレーを包装体に収納した状態を示す一部を切り欠いた包装体の正面図である。
【図５】同上、トレー本体の重なり部を示す拡大断面図である。
【図６】同上、図５におけるＢ部分の拡大断面図である。
【図７】本発明の実施例２における収納用トレーを示す一部を拡大した平面図である。
【図８】同上、トレー本体の重なり部を示す拡大断面図である。
【図９】本発明の実施例３における収納用トレーを示す一部を拡大した平面図である。
【図１０】同上、トレー本体の重なり部を示す拡大断面図である。
【図１１】従来例を示すトレー本体の重なり部を示す拡大断面図である。
【符号の説明】
【００３３】
１    トレー本体
２    平板部
３    鍔部
４    傾斜面
５    収納凹部
６    載置用凸部
７    凹状の段部
８    空隙部
１０    包装体
２０    突き当て凸部
２１    凸状の段部
３０    テーパ面
５０    レンズユニット（被収納部品）
Ｓ    収納空間
Ｓ１    空間部
【図１】
2008001409.tif 000003
【図２】
2008001409.tif 000004
【図３】
2008001409.tif 000005
【図４】
2008001409.tif 000006
【図５】
2008001409.tif 000007
【図６】
2008001409.tif 000008
【図７】
2008001409.tif 000009
【図８】
2008001409.tif 000010
【図９】
2008001409.tif 000011
【図１０】
2008001409.tif 000012
【図１１】
2008001409.tif 000013